(57)【特許請求の範囲】
【請求項１】
第１の波長範囲に検出感度を有する分光測定器に対して、その波長範囲が前記第１の波長範囲の一部である第２の波長範囲となっている第１の光を入射させるステップと、
前記分光測定器で検出される前記第１の光に対応する第１のスペクトルのうち前記第２の波長範囲以外の範囲に対応する部分から迷光の波長特性を示す特性情報を取得するステップと、
前記特性情報を前記第２の波長範囲まで指数関数を用いて外挿処理することで、前記分光測定器に生じる迷光の波長特性を示すパターンを取得するステップとを備える、分光特性測定方法。
【請求項２】
前記パターンを用いて、測定対象物から放射される第２の光を前記分光測定器に入射させた場合に前記分光測定器で検出される前記第２の光に対応する第２のスペクトルを補正することで、前記第２の光の分光特性を示す第３のスペクトルを決定するステップをさらに備える、請求項１に記載の分光特性測定方法。
【請求項３】
前記分光測定器は、入射された光を受光する光検出器を含んでおり、前記光検出器は、前記第１の波長範囲の光が入射するように設計された第１の検出領域と、前記第１の検出領域以外の第２の検出領域とからなる検出面を有しており、前記方法は、さらに、
前記第２のスペクトルを検出する際に前記第２の検出領域において検出された信号強度を取得するステップを備え、
前記第３のスペクトルを決定するステップは、前記信号強度に基づいて前記パターンを補正し、前記第２のスペクトルから当該補正後のパターンを減じることで前記第３のスペクトルを決定するステップを含む、請求項２に記載の分光特性測定方法。
【請求項４】
前記第２の検出領域は、前記第１の検出領域に引き続く短波長側に設けられる、請求項３に記載の分光特性測定方法。
【請求項５】
前記第２の検出領域は、複数の検出素子を含み、
前記信号強度は、前記複数の検出素子のそれぞれで検出された信号強度の平均値である、請求項３または４に記載の分光特性測定方法。
【請求項６】
第１の波長範囲に検出感度を有する分光測定手段と、
前記分光測定手段に生じる迷光の波長特性を示すパターンを記憶する記憶手段と、
被測定光を前記分光測定手段に入射させることで検出されるスペクトルを、前記パターンを用いて補正することで、前記被測定光の分光特性を示すスペクトルを決定する補正手段とを備え、
前記パターンは、前記第１の波長範囲の一部である第２の波長範囲以外の範囲について得られた迷光の波長特性を示す特性情報を波長について外挿処理して決定された指数関数、および、当該指数関数を示すデータセットのいずれかである、分光特性測定装置。
【請求項７】
前記分光測定手段は、入射された光を受光する光検出器を含んでおり、前記光検出器は、前記第１の波長範囲の光が入射するように設計された第１の検出領域と、前記第１の検出領域以外の第２の検出領域とからなる検出面を有しており、
前記補正手段は、
前記被測定光が入射されてスペクトルを検出する際に前記第２の検出領域において検出された信号強度を取得する手段と、
前記取得された信号強度に基づいて前記パターンを補正する手段と、
前記検出されたスペクトルから前記補正後のパターンを減じることで、前記被測定光の分光特性を示すスペクトルを決定する手段とを含む、請求項６に記載の分光特性測定装置。
【発明の詳細な説明】
【技術分野】
【０００１】
本発明は、分光特性測定方法および分光特性測定装置に関し、特に被測定光の分光特性を高精度に測定するための技術に関する。
【背景技術】
【０００２】
従来から、発光体などの評価を行なうための技術として、分光計測が広く用いられている。このような分光計測に用いられる分光特性測定装置では、一般的に、測定対象の発光体などからの被測定光を分光器（典型的には、回折格子）を用いてそれぞれの成分に分光し、分光された各成分を光検出器で検出する。被測定光以外の影響を極力低減するために、これらの分光器や光検出器は、筐体内に収納される。
【０００３】
しかしながら、現実的には、光検出器による検出結果は、筐体内部の乱反射した光、分光器表面で拡散反射した光、および測定次数以外の次数をもつ光などの影響を受け得る。一般的に、これらの光は「迷光」と称される。このような意図しない迷光による影響を抑制するために、各種の方法が提案されている。
【０００４】
たとえば、特開平１１−０３０５５２号公報（特許文献１）には、分光光度計の分散光学系から導かれた光を多数の受光素子を有する受光器によって測定する場合に生じる迷光の影響を、当該分光光度計の測定定数として正確に見積り、その影響を除去する迷光補正方法が開示されている。
【０００５】
また、特開２００２−００５７４１号公報（特許文献２）には、スペクトル測定装置内部に発生する迷光や、検出素子の表面の反射や回折により生ずる不要な光の影響を、検出信号の処理により取り除き、精度のよいスペクトル強度信号を得ることのできる、スペクトル測定装置が開示されている。
【０００６】
また、特開２０１０−１１７３４３号公報（特許文献３）には、補正領域（分光器で分光された光が入射しない領域）で検出された信号強度に基づいて補正値を算出し、検出領域（分光器からの光の入射面に対応する領域）で検出された測定スペクトルに含まれる各成分値から、当該算出した補正値を減じることで補正測定スペクトルを算出することで、スペクトルをより短時間かつ高精度に測定できる光学特性測定装置が開示されている。
【０００７】
また、特開２００９−２２２６９０号公報（特許文献４）には、測定データから迷光を取り除くことが可能な安価な分光測定器が開示されている。
【先行技術文献】
【特許文献】
【０００８】
【特許文献１】特開平１１−０３０５５２号公報
【特許文献２】特開２００２−００５７４１号公報
【特許文献３】特開２０１０−１１７３４３号公報
【特許文献４】特開２００９−２２２６９０号公報
【発明の概要】
【発明が解決しようとする課題】
【０００９】
しかしながら、特開平１１−０３０５５２号公報（特許文献１）に開示された迷光補正方法では、各受光素子で測定した受光信号強度と、当該波長に対応する受光素子によって測定した受光信号強度との比を、検出器を構成する受光素子の数だけ算出する必要がある。そのため、相対的に多くの時間を要するといった課題がある。
【００１０】
また、特開２００２−００５７４１号公報（特許文献２）に記載のスペクトル測定装置は、その補正処理の具体的な内容を開示するものではない。
【００１１】
また、特開２０１０−１１７３４３号公報（特許文献３）に開示された光学特性測定装置では、検出感度のある波長範囲の全体に亘って迷光成分が一様であることを前提としており、装置構成によっては、必ずしも迷光成分が波長範囲の全体に亘って一様とはならない。
【００１２】
また、特開２００９−２２２６９０号公報（特許文献４）に開示された分光測定器では、Δλについての分光放射照度を用いて迷光成分を補正する意味においては好ましいが、２つのフィルタまたはフィルタ群を用いる必要があり、測定を迅速化できないとともに、装置構成が複雑化するという課題がある。また、２つのフィルタの特性を完全に一致させることは難しく、分光スペクトルの測定精度を高めることが難しいという課題がある。さらに、フィルタの遮断特性の範囲でしか迷光を補正できないため、検出器が検出可能な波長範囲の一部のみしか、実際の検出に使用できないという課題がある。
【００１３】
本発明はこのような課題を解決するためになされたものであり、その目的は、被測定光の分光特性をより短時間かつ高精度に測定可能な分光特性測定方法および分光特性測定装置を提供することである。
【課題を解決するための手段】
【００１４】
本発明のある局面に従う分光特性測定方法は、第１の波長範囲に検出感度を有する分光測定器に対して、その波長範囲が第１の波長範囲の一部である第２の波長範囲となっている光を入射させるステップと、分光測定器で検出された第１のスペクトルのうち第２の波長範囲以外の範囲に対応する部分から迷光成分を示す特性情報を取得するステップと、特性情報を第１の波長範囲のうち第２の波長範囲まで外挿処理することで、分光測定器に生じる迷光成分を示すパターンを取得するステップとを含む。
【００１５】
好ましくは、分光特性測定方法は、パターンを用いて、被測定光を分光測定器に入射させた場合に検出される第２のスペクトルを補正することで、被測定光の分光特性を示す第３のスペクトルを決定するステップをさらに含む。
【００１６】
さらに好ましくは、分光測定器は、入射された光を受光する光検出器を含んでおり、光検出器は、第１の波長範囲の光が入射するように設計された第１の検出領域と、第１の検出領域以外の第２の検出領域とからなる検出面を有している。分光特性測定方法は、さらに、第２のスペクトルを検出する際に第２の検出領域において検出された信号強度を取得するステップを含む。第３のスペクトルを決定するステップは、信号強度に基づいてパターンを補正し、第２のスペクトルから当該補正後のパターンを減じることで第３のスペクトルを決定するステップを含む。
【００１７】
さらに好ましくは、第２の検出領域は、第１の検出領域に引き続く短波長側に設けられる。
【００１８】
あるいはさらに好ましくは、第２の検出領域は、複数の検出素子を含み、信号強度は、複数の検出素子のそれぞれで検出された信号強度の平均値である。
【００１９】
好ましくは、パターンを取得するステップは、取得された特性情報を近似する指数関数を決定するステップを含む。
【００２０】
この発明の別の局面に従う分光特性測定装置は、第１の波長範囲に検出感度を有する分光測定手段と、分光測定手段に生じる迷光成分を示すパターンを記憶する記憶手段と、被測定光を分光測定手段に入射させることで検出されるスペクトルを、パターンを用いて補正することで、被測定光の分光特性を示すスペクトルを決定する補正手段とを含む。パターンは、第１の波長範囲の一部である第２の波長範囲以外の範囲について得られた迷光成分を示す特性情報から決定された近似関数、および、当該近似関数を示すデータセットのいずれかである。
【００２１】
好ましくは、近似関数は、指数関数である。
好ましくは、分光測定手段は、入射された光を受光する光検出器を含んでおり、光検出器は、第１の波長範囲の光が入射するように設計された第１の検出領域と、第１の検出領域以外の第２の検出領域とからなる検出面を有している。補正手段は、被測定光が入射されてスペクトルを検出する際に第２の検出領域において検出された信号強度を取得する手段と、取得された信号強度に基づいてパターンを補正する手段と、検出されたスペクトルから補正後のパターンを減じることで、被測定光の分光特性を示すスペクトルを決定する手段とを含む。
【発明の効果】
【００２２】
本発明によれば、被測定光の分光特性をより短時間かつ高精度に測定できる。
【図面の簡単な説明】
【００２３】
【図１】本発明の実施の形態に従う分光特性測定装置の外観図を示す図である。
【図２】本発明の実施の形態に従う測定器本体の概略断面図である。
【図３】本発明の実施の形態に従う分光特性測定装置の光検出器から出力される検出結果の一例を示す概念図である。
【図４】本発明の実施の形態に従う測定器本体に内蔵されている光検出器の検出面を示す模式図である。
【図５】図４に示す光検出器で検出されるスペクトルを説明する模式図である。
【図６】本発明の実施の形態に従う処理装置のハードウェア構成を示す概略構成図である。
【図７】本発明の実施の形態に従う迷光パターン取得に係る処理内容を模式的に示す図である。
【図８】本発明の実施の形態に従う迷光パターン取得に係る手順を示すフローチャートである。
【図９】本発明の実施の形態に従う通常測定時におけるダーク補正および迷光補正を含む補正処理に係る処理内容を模式的に示す図である。
【図１０】本発明の実施の形態に従う通常測定時におけるダーク補正および迷光補正を含む補正処理に係る手順を示すフローチャートである。
【図１１】本発明の実施の形態に従う分光特性測定装置の処理装置における制御構造を示す概略図である。
【図１２】本発明の実施の形態に従う分光特性測定装置において記憶される迷光パターンのデータ構造の一例を示す模式図である。
【図１３】カットフィルタおよび迷光特性についての測定例である。
【図１４】迷光の温度依存性についての測定例である。
【図１５】迷光の温度依存性についての測定例である。
【図１６】迷光の温度依存性についての測定例である。
【図１７】迷光の温度依存性についての測定例である。
【発明を実施するための形態】
【００２４】
本発明の実施の形態について、図面を参照しながら詳細に説明する。なお、図中の同一または相当部分については、同一符号を付してその説明は繰返さない。
【００２５】
＜Ａ．装置全体構成＞
図１は、本発明の実施の形態に従う分光特性測定装置１の外観図を示す図である。
【００２６】
図１を参照して、本発明の実施の形態に従う分光特性測定装置１は、各種の発光体（以下、「対象物」とも称す。）の分光特性（スペクトル）を測定する。さらに、分光特性測定装置１は、この測定したスペクトルに基づいて、対象物の明るさや色合いといった光学特性を算出するようにしてもよい。なお、明るさとは、対象物の輝度や光度などを意味し、色合いとは、対象物の色度座標、主波長、刺激純度、および相関色温度などを意味する。本実施の形態に従う分光特性測定装置１は、発光ダイオード（ＬＥＤ：Light Emitting Diode）やフラットパネルディスプレイ（ＦＰＤ：Flat Panel Display）などの測定に適用できる。
【００２７】
分光特性測定装置１は、分光測定器本体（以下、「測定器本体」と称する。）２と処理装置１００とを含む。測定器本体２には、光ファイバ４を介して、光取出部６が接続されている。光取出部６によって取り入れられた対象物から放射された光（以下、「被測定光」とも称す。）は、光ファイバ４を介して測定器本体２へ導かれる。
【００２８】
測定器本体２は、後述するように、対象物から測定器本体２に入射する被測定光を分光し、それに含まれる各成分の強度に応じた検出結果（信号強度）を処理装置１００へ出力する。後述するように、測定器本体２は、その内部に、被測定光を分光する分光器と、分光器によって分光された光を受光する光検出器とを含んでいる。
【００２９】
特に、本実施の形態に従う分光特性測定装置１は、予め取得された迷光に起因する誤差成分を示すパターン（以下、「迷光パターン」とも称す。）を有しており、この迷光パターンを各測定時の状況に応じて補正することで、各状況における迷光を示すスペクトル（以下、「迷光スペクトル」とも称す。）を決定（予測）する。この迷光スペクトルが迷光に起因する誤差成分を示す。そして、測定されたスペクトル（以下、「測定スペクトル」とも称す。）をこの予測された迷光スペクトルで補正することで、迷光に起因する誤差を除いた測定結果を得る。本実施の形態に従う分光特性測定装置１は、このような迷光による誤差の影響の排除に加えて、光検出器に流れる暗電流による誤差の影響も排除する。
【００３０】
＜Ｂ．測定器本体の構成＞
図２は、本発明の実施の形態に従う測定器本体２の概略断面図である。図２を参照して、測定器本体２は、シャッター２１と、スリット２２と、カットフィルタ２３と、分光器２４と、光検出器２５とを含む。これらの構成要素は、筐体２６内に収納される。筐体２６の一部には、光取入口２０が形成されている。光取入口２０は、光ファイバ４と接続される。光ファイバ４によって導かれた被測定光は、筐体２６内に入射し、所定の光軸Ａｘに沿って伝搬する。光取入口２０の側から順に、この光軸Ａｘに沿って、シャッター２１、スリット２２、カットフィルタ２３、および分光器２４が配置される。すなわち、被測定光は、スリット２２およびカットフィルタ２３を通過した後に分光器２４に入射する。
【００３１】
シャッター２１は、筐体２６の外部から筐体２６内に入射する光を遮断する。シャッター２１は、光検出器２５における校正基準となるスペクトル（以下、「ダークスペクトル」とも称す。）を取得するために、筐体２６内に光が入射しない状態をつくる。一例として、シャッター２１は、光軸Ａｘに対して垂直方向に変位できるように構成されている。これにより、シャッター２１が光軸Ａｘ上に存在する場合（以下、「クローズ位置」とも称す。）には、筐体２６内へ入射する光は遮断される。なお、筐体２６内へ入射する光を遮断した状態で、光検出器２５で検出されるダークスペクトルを測定する操作を、「ダーク測定」とも称す。一方、この「ダーク測定」と区別するために、通常の対象物についてのスペクトルを測定する操作を「通常測定」とも称す。
【００３２】
一方、シャッター２１が光軸Ａｘから離れた位置に位置する場合（以下、「オープン位置」とも称す。）、被測定光は筐体２６内に取込まれる。なお、図２には、シャッター２１を筐体２６内に設ける構成について例示したが、筐体２６の外部に設けてもよい。また、被測定光を遮断する機構については、いずれの種類の構成を採用してもよい。
【００３３】
分光器２４は、光軸Ａｘ上に配置され、光軸Ａｘ上に沿って入射する被測定光を所定間隔で複数の成分に分光する。分光器２４が分光することで生じる光は、光検出器２５へ導かれる。分光器２４は、一例として、ブレーズドホログラフィック型と呼ばれる凹面回折格子（グレーティング）からなる。この凹面回折格子は、入射する被測定光を所定の波長間隔の回折光として、対応する方向に反射する。そのため、分光器２４で分光された光（回折光）は、空間的な広がりをもって、光検出器２５へ向けて放射される。
【００３４】
分光器２４としては、上述したブレーズドホログラフィック型の凹面回折格子に代えて、フラットフォーカス型の凹面回折格子といった任意の回折格子を採用することができる。
【００３５】
光検出器２５は、分光器２４によって分光された被測定光（回折光）を受光する。そして、光検出器２５は、受光した被測定光に含まれる各成分の強度を検出する。この光検出器２５によって検出された強度は、各成分に対応付けられている。そのため、光検出器２５からの検出信号は、被測定光のスペクトルに相当する。光検出器２５は、代表的にフォトダイオードなどの複数の検出素子を、アレイ状に配置したフォトダイオードアレイ（ＰＤＡ：Photo Diode Array）からなる。あるいは、フォトダイオードなどの複数の検出素子を、マトリックス状に配置されたＣＣＤ（Charged Coupled Device）であってもよい。一例として、光検出器２５は、２００ｎｍ〜８００ｎｍの範囲で５１２個（チャンネル）の成分の強度を示す信号を出力可能に構成される。また、光検出器２５は、検出された光強度の信号をデジタル信号として出力するためのＡ／Ｄ（Analog to Digital）変換器や周辺回路を含む。
【００３６】
測定器本体２においては、分光器２４および光検出器２５は、入射する被測定光のうち、波長ｆｍｉｎから波長ｆｍａｘの範囲の成分を分光器２４に導くように光学設計されているものとする。すなわち、測定器本体２が検出感度を有する波長範囲（測定波長）は、波長ｆｍｉｎから波長ｆｍａｘの範囲となる。
【００３７】
スリット２２は、所定の検出分解能を実現するために、被測定光の光束径（大きさ）を調整する。一例として、スリット２２の各スリット幅は０．２ｍｍ〜０．０５ｍｍ程度に設定される。そして、スリット２２を通過後の被測定光は、カットフィルタ２３へ入射する。なお、カットフィルタ２３は、スリット２２を通過後の被測定光のフォーカス位置とほぼ一致する位置に配置される。
【００３８】
カットフィルタ２３は、筐体２６に取込まれた被測定光が分光器２４に入射する光路である光軸Ａｘ上に配置される。カットフィルタ２３は、この被測定光に含まれる成分のうち、所定の遮断波長αより短い波長の光を遮断する。すなわち、カットフィルタ２３は、所定の遮断波長αより長い波長をもつ光のみを透過させる。後述するように、この遮断波長αは、測定器本体２の測定波長の下限値（波長ｆｍｉｎ）と一致させることが好ましい。
【００３９】
図２には、迷光パターンを取得するために用いるカットフィルタ３１が光ファイバ４の光路上に設けられている構成を示す。このカットフィルタ３１は、測定器本体２が検出感度を有する波長範囲（波長範囲ｆｍｉｎ〜ｆｍａｘ）の一部のみに成分を有する光を測定器本体２に入射させるための典型的な構成例である。すなわち、カットフィルタ３１は、遮断波長ｆｃｕｔ（但し、ｆｍｉｎ＜ｆｃｕｔ＜ｆｍａｘ）とするハイパスフィルタであり、波長が遮断波長ｆｃｕｔより短い成分の透過を阻止する。そのため、カットフィルタ３１の存在によって、測定器本体２に入射される光には、遮断波長ｆｃｕｔより長い成分のみが含まれることになる。なお、このカットフィルタ３１は、迷光パターンを取得するために必要であり、通常測定時には、装着する必要はない。
【００４０】
＜Ｃ．補正処理の概要＞
以下、本実施の形態に従う分光特性測定装置１における誤差の補正処理について説明する。図２に示すように、測定器本体２の筐体２６の内部に光が入射すると、迷光が生じ得る。この迷光は、筐体２６内部で乱反射した光、分光器２４表面で拡散反射した光、および分光器２４で生じた測定次数以外の次数をもつ光、などを含む。このような迷光が光検出器２５に入射することによって、光検出器２５の検出結果には誤差成分が生じ得る。
【００４１】
また、光検出器２５は、ＣＣＤなどの半導体デバイスからなり、このような半導体デバイスを駆動する際には暗電流が流れる。この暗電流によっても、光検出器２５の検出結果には誤差成分（以下、「暗電流スペクトル」とも称す。）が生じ得る。この暗電流の大きさは、周囲温度の影響を受けやすく、測定環境に起因して時間的に変動し得る。
【００４２】
以上をまとめると、光検出器２５からの検出結果（測定スペクトル）は、（１）被測定光の本来のスペクトル、（２）筐体内部で発生する迷光に起因する誤差成分（迷光スペクトル）、（３）光検出器２５に流れる暗電流によるオフセット成分、および、（４）その他の誤差成分、を含む。
【００４３】
本願発明者らは、特に（２）筐体内部で発生する迷光に起因する誤差成分についての研究の結果、迷光に起因する誤差成分の波長領域における波形（規格化された迷光スペクトル／迷光パターン）は、迷光の強度（絶対値）には依存せず、ほぼ一定の特性が維持されることを見出した。
【００４４】
そこで、本実施の形態に従う分光特性測定装置１では、測定器本体２に生じるであろう迷光成分を示す迷光パターンを予め取得しておき、このパターンを用いて各測定時における迷光成分を示す迷光スペクトルを動的に生成（予測）する。そして、この動的に生成した迷光スペクトルを用いて、光検出器２５からの測定スペクトルを補正することで、被測定光の本来のスペクトルをより高精度に決定する。
【００４５】
（ｃ１：迷光パターン）
本実施の形態においては、このような迷光パターンを予め取得する方法として、測定器本体２の検出感度を有する波長範囲の一部の成分のみを有する光を測定器本体２に入射させ、そのときに検出される測定スペクトルのうち、入射された光の強度がゼロであるべき波長範囲に対応する部分から、迷光成分を示す特性情報が取得される。
【００４６】
図３は、本発明の実施の形態に従う分光特性測定装置１の光検出器２５から出力される検出結果の一例を示す概念図である。より具体的には、図３（Ａ）は、測定器本体２の測定波長（波長範囲ｆｍｉｎ〜ｆｍａｘ）の成分を有する光を測定器本体２に入射した場合の例を示し、図３（Ｂ）は、測定器本体２の測定波長の一部（波長範囲ｆｃｕｔ〜ｆｍａｘ）の成分のみを有する光を測定器本体２に入射した場合の例を示す。
【００４７】
図３（Ａ）を参照して、光検出器２５からの検出結果（測定スペクトル）は、入射した光の本来のスペクトル３０に加えて、迷光に起因する迷光スペクトル４０、光検出器２５を流れる暗電流に起因する暗電流スペクトル５０、および図示しない他の誤差成分を含む。
【００４８】
これに対して、図３（Ｂ）に示すように、波長範囲ｆｃｕｔ〜ｆｍａｘの成分のみを有する光を測定器本体２に入射した場合には、測定スペクトルのうち、入射した光の成分が存在しない（すなわち、強度がゼロである）波長範囲ｆｍｉｎ〜ｆｃｕｔの部分については、基本的には、迷光スペクトル４０および暗電流スペクトル５０のみを反映したものとなる。そのため、測定スペクトルのうち、入射した光の成分が存在しない波長範囲に対応する部分の特性値から、迷光成分を示す特性情報を取得できる。
【００４９】
なお、暗電流スペクトル５０（および、その他の誤差成分）については、シャッター２１（図２）をクローズ位置に駆動して、筐体２６内に入射する光を遮断することで測定することができる。すなわち、ダーク測定の状態では、基本的に、筐体２６内には迷光成分が存在しないので、このときに測定されるスペクトル（ダークスペクトル）は、暗電流スペクトル５０およびその他の誤差成分を反映するものとなる。
【００５０】
したがって、波長範囲ｆｃｕｔ〜ｆｍａｘの成分のみを有する光を測定器本体２に入射させた場合に測定される測定スペクトルからダークスペクトルを差し引いて得られたスペクトルのうち、入射した光の強度がゼロである波長範囲ｆｍｉｎ〜ｆｃｕｔの部分は、迷光成分のみの特性情報（迷光スペクトル４０）を示すことになる。
【００５１】
測定器本体２が検出感度を有する波長範囲の一部の波長範囲に強度を有する光を生成する方法としては、各種の方法が考えられる。典型的には、図２において説明したような、所定の発光スペクトルを有する光源からの光と波長フィルタ（カットフィルタ３１）とを組み合わせる方法を採用できる。以下の説明では、このカットフィルタ３１を用いて迷光パターンを取得する方法について説明する。但し、本発明はこの方法には限定されない。
【００５２】
代替の方法として、レーザやＬＥＤなどの半導体発光デバイスを用いてもよい。このような半導体デバイスは、特定の波長または所定の波長範囲の光を発光するため、測定器本体２が検出感度を有する波長範囲のうち、一部の波長範囲について、その強度をゼロとした光を入射させることができる。
【００５３】
（ｃ２：外挿処理）
図３に示すように、上述のようなカットフィルタ３１を用いて、測定器本体２が検出感度を有する波長範囲のうち、一部の波長範囲について迷光パターンを取得した場合には、それ以外の波長範囲における迷光パターンが欠落することになる。
【００５４】
そこで、本実施の形態においては、入射する光の強度をゼロとした波長範囲について取得された迷光パターンに対して外挿処理をすることで、測定器本体２が検出感度を有する全波長範囲まで迷光パターンを拡張する。このような外挿処理としては、公知の技術を採用することができる。
【００５５】
より具体的には、まず、入射する光の強度がゼロである波長範囲（図３（Ｂ）に示す波長範囲ｆｍｉｎ〜ｆｃｕｔ）で得られる迷光パターンに対して内挿処理を行なうことで、特性情報（波長−信号強度特性）を取得する。このとき、特性情報としては、指数関数を採用することが好ましい。このような指数関数としては、たとえば、Ｓ（λ）＝Ａ・ｅｘｐ（Ｂ・λ）＋Ｃ（但し、Ａ，Ｂ，Ｃ：定数）といった関数を採用できる。
【００５６】
そして、この取得された特性情報（指数関数）を波長範囲ｆｃｕｔ〜ｆｍａｘについて外挿処理することで、測定器本体２が検出感度を有する波長範囲ｆｍｉｎ〜ｆｍａｘについての迷光パターンを取得することができる。上述したように、迷光パターンを指数関数によってフィッティングした場合には、波長範囲ｆｍｉｎ〜ｆｍａｘの間も指数関数の形で迷光パターンが定義されることになる。
【００５７】
但し、この迷光パターンに対する内挿処理（具体的には、フィッティング処理）に用いられる関数は任意の関数を用いることができる。例えば、多次式や両対数式などを採用することもできる。また、後述の図１３に示す測定例によれば、長波長側にいくほど、その振幅が低下するような関数を用いることが好ましいとも言える。
【００５８】
また、カットフィルタが理想的な遮断特性を有している場合には問題がないが、現実には、遮断波長の近傍は、光の遮断が十分ではない（減衰量が小さい）場合があるので、内挿処理には、遮断波長からある程度離れた波長のデータを用いることが好ましい。
【００５９】
（ｃ３：振幅補正）
測定結果に含まれる迷光スペクトル４０は、測定器本体２に入射される光の光量などに依存してその振幅は変化し得る。そこで、本実施の形態に従う分光特性測定装置１では、光検出器２５の検出面に、分光器２４からの回折光が入射する領域と、当該回折光が入射しない領域とを設ける。そして、回折光が入射しない領域で検出される信号強度に基づいて、迷光スペクトルの振幅を補正する。
【００６０】
図４は、本発明の実施の形態に従う測定器本体２に内蔵されている光検出器２５の検出面を示す模式図である。図５は、図４に示す光検出器２５で検出されるスペクトルを説明する模式図である。
【００６１】
図４を参照して、光検出器２５は、その検出面として、分光器２４からの回折光が入射する検出領域２５ａと、当該回折光が入射しない補正領域２５ｂとを含む。より具体的には、検出領域２５ａは、測定波長（波長範囲ｆｍｉｎ〜ｆｍａｘ）の成分が入射するように設計される。これに対して、補正領域２５ｂは、検出領域２５ａに引き続く短波長側の所定範囲（以下、「補正波長」とも称す。）の成分が入射するように設計される。
【００６２】
上述したカットフィルタ２３（図２）は、補正領域２５ｂで検出される信号強度に誤差を生じないようにするためにも機能する。すなわち、カットフィルタ２３の遮断波長αが波長ｆｍｉｎと一致するように設定されることで、波長ｆｍｉｎ（遮断波長α）より短い成分波長が補正領域２５ｂに入射することを防止できる。
【００６３】
なお、波長ｆｍｉｎより短波長側の全成分が補正領域２５ｂに入射するように設計してもよいが、検出領域２５ａと補正領域２５ｂとの間を所定の波長幅（距離）だけ離すことが、被測定光の影響を避ける観点からは好ましい。
【００６４】
筐体２６の内部で発生する迷光は、測定器本体２に入射される光の光量などに依存して変動し得るが、筐体２６の内部では十分に拡散しているとみなすことができる。図５を参照して、検出領域２５ａで検出される信号強度と、補正領域２５ｂで検出される信号強度とは比例関係にあるとみなすことができる。
【００６５】
したがって、迷光パターンを取得した際に、補正領域２５ｂで検出されていた信号強度を迷光パターンと関連付けて記憶しておき、各測定時において補正領域２５ｂで検出される信号強度を用いて、迷光パターンの振幅を補正することで、測定時の状況に応じた迷光スペクトルを推定することができる。
【００６６】
複数の検出素子を含むように補正領域２５ｂを設定することが好ましく、この場合には、複数の信号強度を検出できる。この場合、信号強度としては、それぞれの検出素子で検出された複数の信号強度の間の代表値（典型的には、平均値あるいは中間値）を用いることが好ましい。
【００６７】
このように、予め取得した迷光パターンを補正領域２５ｂで検出される信号強度に基づいて補正することで、迷光スペクトルを動的に生成することができる。これにより、測定毎に迷光の状態を実測する必要がないので、測定に要する時間を短縮できる一方で、測定毎にその状況に応じた迷光スペクトルを考慮した測定結果が得られるので、測定を高精度かできる。
【００６８】
＜Ｄ．処理装置の構成＞
再度図１を参照して、処理装置１００は、代表的にコンピュータによって構成される。より具体的には、処理装置１００は、ＦＤ（Flexible Disk）駆動装置１１１およびＣＤ−ＲＯＭ（Compact Disk-Read Only Memory)駆動装置１１３を搭載するコンピュータ本体１０１と、モニタ１０２と、キーボード１０３と、マウス１０４とからなる。そして、コンピュータ本体１０１が予め格納されたプログラムを実行することで、上述した補正処理を提供する。
【００６９】
図６は、本発明の実施の形態に従う処理装置１００のハードウェア構成を示す概略構成図である。図６を参照して、コンピュータ本体１０１は、図１に示すＦＤ駆動装置１１１およびＣＤ−ＲＯＭ駆動装置１１３に加えて、相互にバスで接続された、ＣＰＵ（Central Processing Unit）１０５と、メモリ１０６と、固定ディスク１０７と、通信インターフェイス部（Ｉ／Ｆ）１０９とを含む。
【００７０】
ＦＤ駆動装置１１１にはＦＤ１１２が装着可能であり、ＣＤ−ＲＯＭ駆動装置１１３にはＣＤ−ＲＯＭ１１４が装着可能である。本実施の形態に従う処理装置１００は、典型的には、ＣＰＵ１０５がメモリ１０６などのコンピュータハードウェアを用いて、プログラムを実行することで実現される。一般的に、このようなプログラムは、ＦＤ１１２やＣＤ−ＲＯＭ１１４などの記録媒体に格納されて、あるいはネットワークなどを介して流通する。そして、このようなプログラムは、ＦＤ駆動装置１１１やＣＤ−ＲＯＭ駆動装置１１３などにより記録媒体から読取られて、記憶装置である固定ディスク１０７に一旦格納される。さらに、固定ディスク１０７からメモリ１０６に読出されて、ＣＰＵ１０５により実行される。
【００７１】
固定ディスク１０７には、特に、本実施の形態に従う補正処理を実現するための補正ロジック１０７ａと、当該補正に用いられる予め取得された迷光パターン１０７ｂとが格納される。補正ロジック１０７ａは、典型的には、ＣＰＵ１０５によって実行可能なプログラム（コード）として具現化される。また、迷光パターン１０７ｂについては、任意のデータ構造を採用することができる（詳細については後述する）。
【００７２】
ＣＰＵ１０５は、補正ロジック１０７ａを含む、各種のプログラムを順次実行することで、所定の演算を実施する演算処理部である。メモリ１０６は、ＣＰＵ１０５でのプログラム実行に応じて、各種の情報を一時的に記憶する。
【００７３】
通信インターフェイス部１０９は、コンピュータ本体１０１と測定器本体２（図１）との間のデータ通信を仲介するための装置であり、測定器本体２から送信された測定データを示す電気信号を受信してＣＰＵ１０５が処理可能なデータ形式に変換するとともに、ＣＰＵ１０５が出力した指令などを電気信号に変換して測定器本体２へ送出する。
【００７４】
コンピュータ本体１０１に接続されるモニタ１０２は、ＣＰＵ１０５によって算出される対象物の明るさや色合いなどの算出結果を表示するための表示装置であって、一例としてＬＣＤ（Liquid Crystal Display）やＣＲＴ（Cathode Ray Tube）などから構成される。
【００７５】
マウス１０４は、クリックやスライドなどの動作に応じたユーザからの指令を受付ける。キーボード１０３は、入力されるキーに応じたユーザからの指令を受付ける。
【００７６】
また、コンピュータ本体１０１には、必要に応じて、プリンタなどの他の出力装置が接続されてもよい。
【００７７】
なお、本実施の形態に従う補正処理については、上述したようなＣＰＵ１０５がプログラムを実行することで提供される形態に代えて、その全部または一部を専用のプロセッサまたはＩＣ（集積回路）などを用いて実現するようにしてもよい。あるいは、専用のＬＳＩ（Large Scale Integration）を用いて実現してもよい。
【００７８】
＜Ｅ．測定手順＞
（ｅ１：概要）
本実施の形態に従う測定手順は、（１）迷光パターン取得に係る処理（事前処理）と、（２）通常測定時におけるダーク補正および迷光補正を含む補正処理とに大別される。以下、それぞれの処理の詳細について説明する。
【００７９】
なお、現実の実施態様としては、メーカが分光特性測定装置を出荷する前段階で、迷光パターン取得に係る処理が実行されて、取得された迷光パターン（および、関連するパラメータ）が当該分光特性装置に組込まれる（図６の迷光パターン１０７ｂ）。そして、通常の測定時には、このような迷光パターンを用いた補正をユーザが気にすることなく、分光特性測定装置の内部で迷光補正が実行されるという態様が最も一般的であると想定される。
【００８０】
（ｅ２：迷光パターン取得（事前処理））
図７は、本発明の実施の形態に従う迷光パターン取得に係る処理内容を模式的に示す図である。図７を参照して、本実施の形態に従う迷光パターンの取得処理においては、カットフィルタ３１を用いて遮断波長ｆｃｕｔ以下の成分を遮断した光を生成し、この光を測定器本体２に入射させた状態で検出される測定スペクトル３０１と、シャッター２１をクローズ位置に駆動して測定器本体２に光が入射しない状態で検出される測定スペクトル（ダークスペクトル）３０２とを取得する。そして、測定スペクトル３０１から測定スペクトル３０２を減じる（ダーク補正する）ことで、迷光成分を示すスペクトル３０３を取得する。
【００８１】
このスペクトル３０３の遮断波長ｆｃｕｔ以下の成分に対して内挿処理を行なうことで、迷光成分を示す特性情報３０４を取得する。さらに、この取得した特性情報３０４に対して外挿処理を行なうことで、遮断波長ｆｃｕｔより長い波長範囲までの迷光スペクトル（迷光パターン）３０５が取得される。このとき、測定スペクトル３０１が測定された際に、同時に測定された信号強度Ｄ０を用いて規格化が行なわれてもよい。このように迷光スペクトル（迷光パターンの各成分の振幅を規格化振幅（０〜１の範囲内の値をとる）とすることで、通常測定における補正処理をより簡素化できる。
【００８２】
図８は、本発明の実施の形態に従う迷光パターン取得に係る手順を示すフローチャートである。図８を参照して、まず、ステップＳ１００〜Ｓ１０４に示す迷光パターンに対応する測定スペクトルの取得処理が実行される。すなわち、ユーザは、迷光スペクトルの取得に必要な入射光を用意する（ステップＳ１００）。
【００８３】
より具体的には、カットフィルタ３１（図２）を光ファイバ４の光路上に配置して、測定器本体２に入射する光の成分のうち、その波長が遮断波長ｆｃｕｔより短い成分を遮断する。あるいは、測定器本体２が検出感度を有する波長範囲の一部の領域においてのみ強度が非ゼロとなり、かつ、当該検出感度を有する波長範囲の他の領域においては強度がゼロである光を発生させることのできる、レーザやＬＥＤなどの半導体発光デバイスを光取出部６（図１）に接続する。このような状態で、測定器本体２で検出された測定スペクトルが取得される（ステップＳ１０２）。すなわち、本実施の形態に係る分光特性測定方法は、第１の波長範囲（ｆｍｉｎ〜ｆｍａｘ）に検出感度を有する分光測定器（測定器本体２）に対して、その波長範囲が第１の波長範囲の一部である第２の波長範囲（ｆｃｕｔ〜ｆｍａｘ）となっている光を入射させる工程を含む。この状態で、測定スペクトルが取得される。
【００８４】
あわせて、ステップＳ１０２において測定スペクトルを取得した際の、光検出器２５の補正領域２５ｂで検出された信号強度が取得される（ステップＳ１０４）。このステップＳ１０４において取得される信号強度は、後述する規格化処理において使用される。ステップＳ１０４において取得される信号強度は、補正領域２５ｂで検出された複数の信号強度の平均値とすることが好ましい。
【００８５】
続いて、ステップＳ１１０およびＳ１１２のダークスペクトルの取得処理が実行される。すなわち、シャッター２１をクローズ位置に駆動され、測定器本体２への光の入射が遮断された状態が形成される（ステップＳ１１０）。この状態で、測定器本体２で検出されたダークスペクトルが取得される（ステップＳ１１２）。
【００８６】
なお、上述のステップＳ１００〜Ｓ１０４に示す測定スペクトルの取得処理と、ステップＳ１１０〜Ｓ１１２に示すダークスペクトルの取得処理とについての実行順序は、いずれであってもよい。最終的に、迷光成分を反映した測定スペクトルとダークスペクトルとの２つが取得されればよく、その実行順序については何ら制限されない。
【００８７】
続いて、ステップＳ１２０〜Ｓ１２６に示す迷光パターンの算出処理が実行される。すなわち、ステップＳ１０２において取得された測定スペクトルからステップＳ１１２において取得された測定スペクトル（ダークスペクトル）を減算する（ステップＳ１２０）。なお、この減算処理は、対応する各波長について２つの成分の間で引き算がそれぞれ実行される。
【００８８】
この減算によって得られたダーク補正後の測定スペクトルのうち、カットフィルタ３１の遮断波長ｆｃｕｔより短波長側の値を用いて内挿処理が実行される（ステップＳ１２２）。より具体的には、指数関数などを用いて、カットフィルタ３１の遮断波長ｆｃｕｔより短波長側の値に対して関数近似（フィッティング処理）が実行される。そして、実測された情報に基づいて、迷光スペクトルを示す近似関数が取得される。すなわち、本実施の形態に係る分光特性測定方法は、分光測定器（測定器本体２）で検出された第１のスペクトル（ダーク補正後の測定スペクトル）のうち第２の波長範囲以外の範囲に対応する部分から迷光成分を示す特性情報を取得する工程を含む。
【００８９】
続いて、ステップＳ１２２において取得された近似関数を用いて外挿処理を実行する（ステップＳ１２４）。すなわち、ステップＳ１２２において取得された近似関数を、カットフィルタ３１の遮断波長ｆｃｕｔより短波長側の波長範囲まで拡張することで、測定器本体２が検出感度を有する波長範囲（波長範囲ｆｍｉｎ〜ｆｍａｘ）の全域に亘る迷光スペクトルを算出する。すなわち、本実施の形態に係る分光特性測定方法は、迷光成分を示す特性情報を第１の波長範囲（ｆｍｉｎ〜ｆｍａｘ）のうち第２の波長範囲（ｆｃｕｔ〜ｆｍａｘ）まで外挿処理することで、分光測定器（測定器本体２）に生じる迷光成分を示すパターン（迷光パターン）を取得する工程を含む。ここで、パターンを取得する工程は、取得された迷光成分を示す特性情報を近似する指数関数を決定する工程を含む。
【００９０】
さらに、ステップＳ１２４において取得された迷光スペクトルを、ステップＳ１０４において取得した、光検出器２５の補正領域２５ｂで検出された信号強度を用いて規格化することで、迷光パターンを算出する（ステップＳ１２６）。この規格化処理は、後述する通常測定によって得られた測定スペクトルに対して迷光補正を行なうための迷光スペクトルを動的に生成するために、迷光パターンに含まれる各成分の振幅を所定範囲内（典型的には、０〜１の範囲）の値に割当てるものである。より具体的には、ステップＳ１２４において取得された迷光スペクトルの各成分を、ステップＳ１０４において取得した補正領域２５ｂで検出された信号強度で除算することで、補正領域２５ｂで検出された単位信号強度毎の振幅が算出される。
【００９１】
以上のように取得された迷光パターンは、典型的には、分光特性測定装置１の処理装置１００に格納される。
【００９２】
（ｅ３：ダーク補正／迷光補正（通常測定））
図９は、本発明の実施の形態に従う通常測定時におけるダーク補正および迷光補正を含む補正処理に係る処理内容を模式的に示す図である。図９を参照して、対象物からの被測定光を測定器本体２に入射させた状態で検出される測定スペクトル３１１と、シャッター２１をクローズ位置に駆動して測定器本体２に光が入射しない状態で検出される測定スペクトル（ダークスペクトル）３１２とを取得する。そして、測定スペクトル３１１から測定スペクトル３１２を減じることで、まず、ダーク補正後のスペクトル３１３を取得する。
【００９３】
一方、測定スペクトル３１１が測定された際に、同時に測定された信号強度Ｄ１を用いて、予め取得された迷光パターン３０５を補正することで、迷光スペクトル３１４を決定（推定）する。上述したように、規格化された迷光パターン３０５が予め取得されている場合には、信号強度Ｄ１の絶対値を迷光パターン３０５の各成分に乗じることで、迷光スペクトル３１４を決定できる。そして、ダーク補正後のスペクトル３１３から決定された迷光スペクトル３１４を減じることで、対象物の本来の分光特性を示すスペクトル３１５を取得する。このスペクトル３１５が測定結果として出力されることになる。
【００９４】
図１０は、本発明の実施の形態に従う通常測定時におけるダーク補正および迷光補正を含む補正処理に係る手順を示すフローチャートである。図１０を参照して、まず、ステップＳ２００〜Ｓ２０４に示す対象物からの被測定光を示す測定スペクトルの取得処理が実行される。すなわち、ユーザは、光取出部６を対象物に接続し、対象物から放射された被測定光を、光ファイバ４を介して測定器本体２へ入射させる（ステップＳ２００）。そして、処理装置１００が、測定器本体２で検出された測定スペクトルを取得する（ステップＳ２０２）。また、処理装置１００は、ステップＳ２０２において測定スペクトルを取得した際の、光検出器２５の補正領域２５ｂで検出された信号強度を取得する（ステップＳ２０４）。このステップＳ２０４において取得される信号強度は、迷光スペクトルの生成処理において使用される。ステップＳ２０４において取得される信号強度は、補正領域２５ｂで検出された複数の信号強度の平均値とすることが好ましい。
【００９５】
続いて、ステップＳ２１０およびＳ２１２のダークスペクトルの取得処理が実行される。すなわち、シャッター２１をクローズ位置に駆動され、測定器本体２への光の入射が遮断された状態が形成される（ステップＳ２１０）。この状態で、処理装置１００が、測定器本体２で検出されたダークスペクトルを取得する（ステップＳ２１２）。
【００９６】
なお、上述のステップＳ２００〜Ｓ２０４に示す測定スペクトルの取得処理と、ステップＳ２１０〜Ｓ２１２に示すダークスペクトルの取得処理とについての実行順序は、いずれであってもよい。特に、温度などが安定した状態で複数の測定対象を連続的に測定するような場合には、第１回目の測定時に取得したダークスペクトルをそれ以降の測定に利用するような方法を採用することもできる。この場合には、ステップＳ２１０〜Ｓ２１２に示すダークスペクトルの取得処理を最初に行なうことが好ましい。
【００９７】
続いて、ステップＳ２２０〜Ｓ２２６に示す補正処理が実行される。すなわち、処理装置１００は、ステップＳ２０２において取得された測定スペクトルからステップＳ２１２において取得されたダークスペクトルを減算する（ステップＳ２２０）。なお、この減算処理は、対応する各波長について２つの成分の間で引き算がそれぞれ実行される。この処理によって、ダーク補正後の測定スペクトルが取得される。
【００９８】
また、処理装置１００は、予め登録されている迷光パターンに対して、ステップＳ２０４において取得した、光検出器２５の補正領域２５ｂで検出された信号強度を乗じることで、迷光スペクトルを決定する（ステップＳ２２２）。
【００９９】
なお、ステップＳ２２０に示すダーク補正後の測定スペクトルの取得処理と、ステップＳ２２２に示す迷光スペクトルの決定処理とについての実行順序は、いずれであってもよい。また、これらの処理を並列的に実行してもよい。
【０１００】
続いて、処理装置１００は、ステップＳ２２０において取得されたダーク補正後の測定スペクトルからステップＳ２２２において取得された迷光スペクトルを減算する（ステップＳ２２４）。なお、この減算処理は、対応する各波長について２つの成分の間で引き算がそれぞれ実行される。この減算によって得られたスペクトルが測定結果として出力されることになる。すなわち、処理装置１００は、ステップＳ２２４の減算処理の結果得られたスペクトルを対象物の分光特性の測定結果として出力する（ステップＳ２２６）。
【０１０１】
このように、本実施の形態に係る分光特性測定方法は、予め登録されたパターン（迷光パターン）を用いて、被測定光を分光測定器（測定器本体２）に入射させた場合に検出されるスペクトル（測定スペクトル）を補正することで、被測定光の分光特性を示すスペクトルを決定する工程を含む。この被測定光の分光特性を示すスペクトルを決定する工程は、光検出器２５の補正領域２５ｂで検出された信号強度に基づいてパターン（迷光パターン）を補正し、測定スペクトルから補正後のパターン（迷光スペクトル）を減じることで、対象物の分光特性の測定結果を示すスペクトルを決定する工程を含む。
【０１０２】
＜Ｆ．制御構造＞
図１１は、本発明の実施の形態に従う分光特性測定装置１の処理装置１００における制御構造を示す概略図である。図１１を参照して、処理装置１００は、迷光パターンを取得するための制御構造と、測定結果を算出するための制御構造とを有している。但し、迷光パターンを取得するための制御構造については、必ずしも処理装置１００に実装する必要はなく、別の校正装置などに実装してもよい。迷光パターンは頻繁に更新する必要がないからである。
【０１０３】
より具体的には、処理装置１００は、迷光パターンを取得するための制御構造として、バッファ２０２，２１２，２１６，２２２と、平均化部２０４と、減算部２１４と、内挿処理部２１８と、外挿処理部２２０と、規格化部２４０と、記憶部２３０とを含む。一方、測定結果を算出するための構成として、処理装置１００は、記憶部２３０と、バッファ２５２，２５８，２７２，２６６，２７２と、平均化部２５４と、乗算部２５６と、減算部２６８とを含む。
【０１０４】
図１１には、一例として、測定波長域に対応する検出領域２５ａ（図４）がＮ個の検出素子を有し、測定波長域に対応する補正領域２５ｂが４個の検出素子を有する場合に対応する制御構造を示す。
【０１０５】
光検出器２５の検出領域２５ａで検出された値（各波長の信号強度）は、バッファ２１２，２２２，２６２，２７２に一時的に格納される。また、光検出器２５の補正領域２５ｂで検出された値（信号強度）は、バッファ２０２，２５２に一時的に格納される。なお、上述したようなそれぞれの状況に応じて、格納先のバッファが適宜選択された上で、測定データが格納される。
【０１０６】
バッファ２１２，２２２，２６２，２７２の各々は、検出領域２５ａに含まれる検出素子の数に対応して、少なくとも区画されたＮ個の領域（１ｃｈ，２ｃｈ，…，Ｎｃｈ）をもつ。また、バッファ２０２，２５２の各々は、補正領域２５ｂに含まれる検出素子の数に対応して、少なくとも区画された４個の領域（Ａｃｈ，Ｂｃｈ，Ｃｃｈ，Ｄｃｈ）をもつ。これらのバッファに格納されるデータは、光検出器２５の検出周期（たとえば、数ｍｓｅｃ〜数１０ｍｓｅｃ）で順次更新される。また、チャンネル（ｃｈ）は、光検出器２５で検出される波長に対応付けられている。
【０１０７】
バッファ２０２は、迷光パターンを取得する際の補正領域２５ｂを構成する各検出素子で検出された信号強度を格納し、平均化部２０４がこれらの信号強度を平均化することで、信号強度（図７に示す信号強度Ｄ０）が算出される。
【０１０８】
バッファ２１２は、迷光パターンを取得する際の測定スペクトル（図７に示す測定スペクトル３０１）を格納し、バッファ２２２は、迷光パターンを取得する際のダークスペクトル（図７に示す測定スペクトル（ダークスペクトル）３０２）を格納する。
【０１０９】
減算部２１４は、バッファ２１２に格納される測定スペクトルとバッファ２２２に格納される測定スペクトルとの間の差分を算出する。すなわち、減算部２１４は、迷光パターンの取得時にダーク補正を行なう。この減算部２１４によって算出された差分の測定スペクトル（図７に示すダーク補正後のスペクトル３０３）は、バッファ２１６に格納される。
【０１１０】
内挿処理部２１８は、バッファ２１６に格納されるスペクトルに対して内挿処理を行なうことで、特性情報（波長−信号強度特性）を取得する。より具体的には、内挿処理部２１８は、バッファ２１６に格納される各成分の値を用いてフィッティング処理を行ない、近似関数を決定する。外挿処理部２２０は、内挿処理部２１８において決定された特性情報（近似関数）に対して外挿処理を行なうことで、測定器本体２が検出感度を有する波長範囲ｆｍｉｎ〜ｆｍａｘについての迷光スペクトルを決定する。
【０１１１】
さらに規格化部２４０は、平均化部２０４において算出される信号強度Ｄ０を用いて、外挿処理部２２０において決定された迷光スペクトルを規格化する。この規格化処理によって、迷光パターンが算出される。この算出された迷光パターンは、記憶部２３０に格納される。すなわち、記憶部２３０は、分光測定手段（測定器本体２）に生じる迷光成分を示すパターン（迷光パターン）を記憶する記憶手段として機能する。ここで、パターンは、第１の波長範囲（波長範囲ｆｍｉｎ〜ｆｍａｘ）の一部である第２の波長範囲（ｆｃｕｔ〜ｆｍａｘ）以外の範囲について得られた迷光成分を示す特性情報から決定された近似関数、および、当該近似関数を示すデータセットのいずれかである。このようなデータ構造については、図１２を参照して後述する。
【０１１２】
次に、測定結果を算出するための構成について説明する。
バッファ２５２は、通常測定の際に補正領域２５ｂを構成する各検出素子で検出された信号強度を格納し、平均化部２５４がこれらの信号強度を平均化することで、信号強度（図９に示す信号強度Ｄ１）が算出される。
【０１１３】
バッファ２６２は、通常測定の際の測定スペクトル（図９に示す測定スペクトル３１１）を格納し、バッファ２７２は、通常測定の際のダークスペクトル（図９に示す測定スペクトル（ダークスペクトル）３１２）を格納する。
【０１１４】
減算部２６４は、バッファ２６２に格納される測定スペクトルとバッファ２７２に格納される測定スペクトルとの間の差分を算出する。すなわち、減算部２６４は、通常測定の際にダーク補正を行なう。この減算部２６４によって算出された差分の測定スペクトル（図９に示すダーク補正後のスペクトル３１３）は、バッファ２６６に格納される。
【０１１５】
一方、乗算部２５６は、記憶部２３０に記憶されている迷光パターンを読み出し、平均化部２５４において算出される信号強度Ｄ１を乗じることで、当該通常測定における迷光スペクトル（図９に示す迷光スペクトル３１４）を算出する。この算出された迷光スペクトルは、バッファ２５８に格納される。
【０１１６】
減算部２６８は、バッファ２６６に格納されるダーク補正後の測定スペクトルとバッファ２５８に格納される迷光スペクトルとの間の差分を算出する。すなわち、減算部２６８は、通常測定の際に迷光補正を行なう。この減算部２６８によって算出された差分の測定スペクトル（図９に示すダーク補正後のスペクトル３１５）は、測定結果として出力される。
【０１１７】
＜Ｇ．データ構造＞
上述したように、振幅を規格化した迷光パターンを用いて迷光補正を行なうのは、迷光パターンの取得時の状況と、通常測定時の状況との相違を、光検出器２５の補正領域２５ｂで検出された信号強度を用いて補正するためである。但し、このような状況の変化を反映するための補正については、他の方法を採用することもできる。それに伴って、迷光パターン１０７ｂ（図６）として記憶されるデータの構造についても、以下に示すような各種の方式を採用することができる。
【０１１８】
図１２は、本発明の実施の形態に従う分光特性測定装置１において記憶される迷光パターンのデータ構造の一例を示す模式図である。以下、図１２（Ａ）〜図１２（Ｄ）にそれぞれ示すデータ構造について説明する。
【０１１９】
図１２（Ａ）には、上述した迷光パターンを規格化された値として記憶する場合のデータ構造の例を示す。この例では、光検出器２５の検出領域２５ａに含まれる検出素子の数に対応して、各成分の規格化された値が格納される。この例では、上述した方法によって、迷光スペクトルを決定（推定）することができる。
【０１２０】
図１２（Ｂ）には、上述した迷光パターンの取得時に測定された迷光スペクトル（ダーク補正後）を、その際に光検出器２５の補正領域２５ｂで検出された信号強度と関連付けて格納する形態を示す。この例では、迷光パターンの成分の振幅は、規格化されておらず、測定値のままとなっている。このデータ構造を用いて迷光補正を行なう場合には、通常測定の際に光検出器２５の補正領域２５ｂで検出された信号強度を用いて、迷光スペクトルの振幅が補正される。より具体的には、迷光パターンの取得の際に測定された信号強度の絶対値に対する、通常測定の際に測定された信号強度の絶対値の比率を、迷光スペクトルのそれぞれの成分値に乗じることで、当該通常測定の状況に応じた迷光パターンを決定（推定）することができる。
【０１２１】
図１２（Ｃ）および図１２（Ｄ）には、迷光パターンの各成分の値ではなく、上述した内挿処理によって得られた近似関数をそのまま格納する形態を示す。図１２（Ｃ）には、近似関数を規格化した状態で格納する例を示し、図１２（Ｄ）には、図１２（Ｂ）と同様に、実際に測定されたスペクトルの振幅を反映した近似関数を対応する信号強度と関連付けて格納する例を示す。
【０１２２】
このような迷光成分を示す近似関数を処理装置１００に実装することで、データ量を削減できる。迷光補正の際には、近似関数を用いて各波長に対応する振幅を随時算出しておくことで、上述した処理と同様の処理を用いて迷光を補正できる。
【０１２３】
＜Ｈ．測定例＞
次に、本実施の形態に従う処理を実際に行なって得られた測定結果を以下に示す。
【０１２４】
図１３は、カットフィルタおよび迷光特性についての測定例である。なお、図１３に示す測定例では、光源としてハロゲンランプを採用するとともに、カットフィルタ３１（図２）としては、以下の４種類について試した。なお、比較のため、カットフィルタ３１を設けない場合（光源からの光そのもの）についても示す。
【０１２５】
（１）遮断波長：３７０ｎｍ（形式：Ｌ３７）
（２）遮断波長：５００ｎｍ（形式：Ｙ５０）
（３）遮断波長：５６０ｎｍ（形式：Ｏ５６）
（４）遮断波長：６４０ｎｍ（形式：Ｒ６４）
なお、露光時間は、５ｍｓｅｃとし、図１３には、ダーク補正後のスペクトルを示す。
【０１２６】
さらに、遮断波長が約６４０ｎｍであるフィルタ（形式：Ｒ６４）を用いた場合に得られたスペクトルに対して、内挿処理および外挿処理を行なった結果を合わせて示す。
【０１２７】
まず、図１３に示すように、いずれのカットフィルタを用いた場合であっても、迷光が同様の波長特性を有することがわかる。すなわち、波長が高くなるほど、その迷光成分が小さくなっていることがわかる。したがって、基本的には、いずれのカットフィルタを用いたとしても、迷光パターンを取得できることを意味する。
【０１２８】
なお、カットフィルタの種類によって迷光の振幅が異なっているのは、測定器本体２の内部に入射する光の光量が同一ではないためである。すなわち、光の入射が遮断される波長幅が大きいほど光量が減少するので、振幅はより小さくなっている。なお、本実施の形態に従う分光特性測定装置１では、上述したように、光検出器２５の補正領域２５ｂで検出される信号強度を用いて迷光スペクトルの振幅が決定されるので、このような振幅の変動を反映した上で迷光補正を行なうことになる。
【０１２９】
また、図１３に示すように、実測された迷光の波長特性に対して非常に相関の高い近似関数（指数関数）が得られていることがわかる。すなわち、本実施の形態によれば、カットフィルタによって強度がゼロにされた波長範囲の迷光特性だけでなく、それ以外の波長範囲における迷光特性についても高い精度で補正できることを意味している。
【０１３０】
次に、本願発明者らが迷光の温度依存性について測定した例を示す。
図１４〜図１７は、迷光の温度依存性についての測定例である。より具体的には、図１４〜図１６は、それぞれ１０℃，２０℃，３０℃に設定された恒温層に測定器本体２を入れた状態で迷光を測定したものである。なお、以下のカットフィルタとしては、以下の２つを用いた。
【０１３１】
（１）遮断波長：３８０ｎｍ（形式：Ｌ３８）
（２）遮断波長：５２０ｎｍ（形式：Ｙ５２）
図１４（Ａ）〜図１６（Ａ）には、それぞれの温度における測定結果（ダーク補正後のスペクトル）を示し、図１４（Ｂ）〜図１６（Ｂ）には、それぞれ図１４（Ａ）〜図１６（Ａ）に示すスペクトルを拡大した図を示す。さらに、図１７には、図１４〜図１７に示す各温度における共通のカットフィルタ（遮断波長：５２０ｎｍ／形式：Ｙ５２）を用いた場合のスペクトルを共通の波長−振幅の座標にプロットしたものである。
【０１３２】
図１４〜図１７に示す測定例によれば、迷光の波長特性については、温度依存性が低く、基本的には、温度補正を行なう必要がないと考えられる。もちろん、装置の構成などによっては、環境温度によって検出感度が変化するので、そのような場合には、迷光パターンから迷光スペクトルを決定する過程で、温度のファクタを用いて補正することが好ましい。
【０１３３】
＜Ｉ．変形例＞
（ｉ１：変形例１）
上述の実施の形態においては、測定器本体２および処理装置１００をそれぞれ独立の装置として構成する場合について例示したが、両装置を一体化して構成してもよい。
【０１３４】
（ｉ２：変形例２）
本発明に係るプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明に係るプログラムに含まれ得る。
【０１３５】
さらに、本発明に係るプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明に係るプログラムに含まれ得る。
【０１３６】
さらに、本発明に係るプログラムによって実現される機能の一部または全部を専用のハードウェアによって構成してもよい。
【０１３７】
＜Ｊ．利点＞
本実施の形態によれば、分光特性測定装置１に測定器本体２に固有で生じ得る迷光成分を示す迷光パターンを予め取得しておき、各測定時において、当該予め取得された迷光パターンをその状況に応じたもの補正（すなわち、迷光スペクトルを推定）した上で、測定スペクトルからその迷光スペクトルを減じることで、迷光成分の影響を排除した被測定物の分光特性（スペクトル）を算出する。また、この迷光補正とともに、光検出器に流れる暗電流などの影響もダーク補正によって排除する。これらの補正によって、より高精度に被測定物の分光測定を取得することができる。
【０１３８】
また、本実施の形態によれば、光検出器２５の検出面に、被測定光が入射する領域（検出領域２５ａ）と、被測定光が入射しない領域（補正領域２５ｂ）とが設けられており、検出領域２５ａで測定スペクトルが検出される際に、補正領域２５ｂで信号強度が検出される。そして、この検出された信号強度を用いて迷光スペクトルが算出される。そのため、フィルタを交換するなどの機械的な動作が不要であり、かつ、測定スペクトルの検出に併せて検出される信号強度を用いて迷光スペクトルが算出されるので、処理時間を短縮できる。言い換えれば、処理時間の増大を回避しつつ、迷光補正を行ない、より高精度の測定を行なうことができる。
【０１３９】
また、本実施の形態によれば、測定毎にその状況に応じた迷光スペクトルが推定されるので、短時間の間に、環境（例えば、温度）が大きく変化するような状況であっても、安定して高精度の測定を行なうことができる。
【０１４０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４１】
１  分光特性測定装置、２  測定器本体、４  光ファイバ、６  光取出部、２０  光取入口、２１  シャッター、２２  スリット、２３，３１  カットフィルタ、２４  分光器、２５  光検出器、２５ａ  検出領域、２５ｂ  補正領域、２６  筐体、１００  処理装置、１０１  コンピュータ本体、１０２  モニタ、１０３  キーボード、１０４  マウス、１０５  ＣＰＵ、１０６  メモリ、１０７  固定ディスク、１０７ａ  補正ロジック、１０７ｂ，３０５  迷光パターン、１０９  通信インターフェイス部、１１１，１１３  ＦＤ駆動装置、１１４  ＣＤ−ＲＯＭ、２０２，２１２，２１６，２２２，２５２，２５８，２６２，２６６，２７２  バッファ、２０４，２５４  平均化部、２１４，２６４，２６８  減算部、２１８  内挿処理部、２２０  外挿処理部、２３０  記憶部、２４０  規格化部、２５６  乗算部、Ａｘ  光軸。
【図１】
0005769453.tif 000002
【図２】
0005769453.tif 000003
【図３】
0005769453.tif 000004
【図４】
0005769453.tif 000005
【図５】
0005769453.tif 000006
【図６】
0005769453.tif 000007
【図７】
0005769453.tif 000008
【図８】
0005769453.tif 000009
【図９】
0005769453.tif 000010
【図１０】
0005769453.tif 000011
【図１１】
0005769453.tif 000012
【図１２】
0005769453.tif 000013
【図１３】
0005769453.tif 000014
【図１４】
0005769453.tif 000015
【図１５】
0005769453.tif 000016
【図１６】
0005769453.tif 000017
【図１７】
0005769453.tif 000018